(57)【要約】【課題】回路基板上の電気部品から熱を取り出す熱コンジットを提供すること。【解決手段】本発明の態様による電子アセンブリは、回路基板上に取り付けられた集積回路と、第１、第２の部分を有する熱コンジットとを含む。熱コンジットの第１の部分は、回路基板内に形成された開口部を通る、集積回路の１つまたは複数の電気端子に熱的に結合され、熱コンジットの第２の部分は、回路基板の第１の材料に熱的に結合される。【選択図】図１
2008060551.tif 000002
【特許請求の範囲】
【請求項１】
回路基板と、
前記回路基板上に取り付けられた１つまたは複数の電気端子を有する電気部品と、
第１と第２の部分を有する熱コンジットと
を含む電子回路アセンブリであって、
前記第１の部分が、前記回路基板内に形成された開口部を通って前記電気部品の前記１つまたは複数の電気端子に熱的に結合され、前記第２の部分が、前記回路基板の第１の材料に熱的に結合される、電子回路アセンブリ。
【請求項２】
前記回路基板の前記第１の材料が、高い熱・電気伝導性を有し、前記回路基板の第１の露出面のかなりの面積を占める請求項１に記載のアセンブリ。
【請求項３】
前記熱コンジットが、高い電気・熱伝導性を有する請求項１に記載のアセンブリ。
【請求項４】
前記熱コンジットの前記第１と第２の部分が、それぞれ第１と第２の面を含み、前記第１の部分の前記第１の面が、前記電気部品の前記１つまたは複数の電気端子に熱的に結合され、前記第２の部分の前記第２の面のかなりの部分が、前記回路基板の前記第１の材料と熱接触する請求項１に記載のアセンブリ。
【請求項５】
前記熱コンジットの前記第２の部分が、前記回路基板の面の平面に沿って延び、前記熱コンジットの前記第１の部分が、前記回路基板の前記面の前記平面とは異なる平面に沿って延びている請求項１に記載のアセンブリ。
【請求項６】
前記熱コンジットの前記第１の部分が、前記回路基板の面から直角方向に延びている請求項１に記載のアセンブリ。
【請求項７】
前記熱コンジットが、前記回路基板上に前記熱コンジットを取り付けるためのタブ構造を含む請求項１に記載のアセンブリ。
【請求項８】
前記電気部品の前記１つまたは複数の電気端子を前記熱コンジットに熱的に結合させるためのはんだをさらに含む請求項１に記載のアセンブリ。
【請求項９】
回路基板と、
前記回路基板内に形成された開口部を通る電気端子を含む電気部品と、
前記熱コンジットの第１の部分の第１の面および前記熱コンジットの第２の部分の第２の面を含む熱コンジットと
を含む電子回路アセンブリであって、前記第１の部分の前記第１の面が、前記電気部品の前記電気端子に熱的に結合され、前記第２の部分の前記第２の面が、前記回路基板の第１の材料に熱的に結合される、電子回路アセンブリ。
【請求項１０】
前記熱コンジットの前記第２の部分の前記第２の面を前記回路基板の前記第１の材料に熱的に結合させるためのはんだをさらに含む請求項９に記載の電子回路アセンブリ。
【請求項１１】
前記回路基板の前記第１の材料と前記熱コンジットが、高い電気・熱伝導性を有する請求項９に記載の電子回路アセンブリ。
【請求項１２】
前記電気部品が集積回路を含む請求項９に記載の電子回路アセンブリ。
【請求項１３】
前記熱コンジットが、前記回路基板内に形成された開口部を挿通して前記熱コンジットを前記回路基板に取り付けるための構造を含む請求項９に記載の電子回路アセンブリ。
【請求項１４】
前記熱コンジットが、銅、アルミニウム、黄銅または鋼のうちの少なくとも１つを含む請求項９に記載の電子回路アセンブリ。
【請求項１５】
前記第１の材料が銅を含む請求項９に記載の電子回路アセンブリ。
【請求項１６】
高い電気・熱伝導性を有する熱コンジットを準備するステップと、
前記熱コンジットを、前記回路基板上に含まれる集積回路の１つまたは複数の電気端子に熱的に結合させるステップと、
前記熱コンジットを前記回路基板内に含まれる第１の材料に熱的に結合させて、前記集積回路と前記回路基板内に含まれる前記第１の材料との間の熱インピーダンスを低下させるステップとを含む電気部品から熱を引き出す方法。
【請求項１７】
前記集積回路を前記熱コンジットに熱的に結合させるためのはんだ層を設けるステップをさらに含む請求項１６に記載の方法。
【請求項１８】
前記熱コンジットを前記１つまたは複数の電気端子に熱的に結合させるステップが、前記熱コンジットの第１の面を、前記回路基板内に形成された開口部を通る前記１つまたは複数の電気端子に熱的に結合させるステップを含む請求項１６に記載の方法。
【請求項１９】
前記熱コンジットを前記回路基板内に含まれる前記第１の材料に熱的に結合させるステップが、前記熱コンジットの面を、前記回路基板内に含まれる前記第１の材料に熱的に結合させるステップを含む請求項１６に記載の方法。
【発明の詳細な説明】
【技術分野】
【０００１】
本発明は、一般に電子回路に関し、より詳細には、プリント回路板上の電気部品から熱を引き出す方法と装置に関する。
【背景技術】
【０００２】
集積回路の使用温度を低下させることは、高い使用温度が信頼性を低下させるため有用である。集積回路内で発生した熱は、パッケージ材料を介して高い温度の領域から低い温度の領域へ逃げる。集積回路の温度は、集積回路と低い温度の領域との間の熱インピーダンスに依存する。２点間の熱エネルギーの流れは、温度差に比例し、２点間の熱インピーダンスに反比例する。低熱インピーダンスは、集積回路からの所定の電力消費に対して、集積回路の低動作温度に相応する。熱インピーダンスを低減させるために、集積回路のパッケージに機械式クリップまたは接着剤を用いてヒートシンクを取り付けることが多い。
【発明を実施するための最良の形態】
【０００３】
回路基板上の電気部品から熱を取り出す方法と装置が開示される。一例では、プリント回路板の銅クラッドと集積回路パッケージの端子との間の熱インピーダンスを低減させるために、低コストの熱コンジット装置が使用される。一例では、熱コンジット装置は、集積回路パッケージの端子から銅クラッドまでの低熱インピーダンスと低電気インピーダンスの経路を提供して、銅クラッドが集積回路の端子から熱と電流を伝導させる。回路基板のアセンブリにおける熱コンジットの使用は、普通の回路基板製造技法に適用することができる。
【０００４】
以下の説明では、多くの具体的な詳細が、本発明を十分に理解できるようにするために開示される。しかし、その具体的な詳細が本発明を実施するために使用される必要がないことが当業者には明らかであろう。他の例では、周知の材料または方法は、本発明を不明瞭にしないようにするために詳細には記載されていない。
【０００５】
本明細書における「一実施形態」または「ある実施形態」への言及は、その実施形態に関連して記載された特定の特徴、構造または特性が、本発明の少なくとも１つの実施形態に含まれることを意味する。「一実施形態では」または「ある実施形態では」という語句の出現は、必ずしもすべてが同じ実施形態を意味するものではない。さらに、特定の特徴、構造または特性が、１つまたは複数の実施形態において任意の適切なコンビネーションおよび／またはサブコンビネーションの形で組み合わされてもよい。さらに、本明細書で提供される図が当業者に説明するためのものであり、図面が必ずしも原寸に比例して描かれてはいないことが理解されるであろう。
【０００６】
後で説明するように、本発明の一態様は、回路基板上に取り付けられた、１つまたは複数の電気端子を有する集積回路などの電気部品から熱を取り出す方法と装置を含む。一例では、高い熱・電気伝導性を有する熱コンジットの第１の部分が、回路基板内に形成された開口部を通って集積回路の１つまたは複数の電気端子に熱的に結合される。熱コンジットの第２の部分が、回路基板の第１の材料に熱的に結合される。
【０００７】
本発明の非限定的かつ非網羅的な実施形態について、同じ参照符号が特に断らない限り様々な図を通じて同じ部分を参照する図を参照しながら説明する。
【０００８】
例えば図１に、集積回路１２０と熱コンジット１４０を有するプリント回路板アセンブリ１００の簡略図を示す。プリント回路板または回路基板１０５は、第１の材料すなわち導電材料の層１１５に接合された電気絶縁材料の層１１０を含む。この例では、導電材料層１１５は一般に、回路基板１０５上の構成要素の端子の間で所望の電気的接続を行うためのパターンで構成された、流す電流に適した厚みの銅である。導電材料層１１５は一般に、高い熱伝導性（低い熱インピーダンス）と高い電気伝導性（低い電気インピーダンス）を有する。導電材料層１１５は、回路基板１０５の露出面のかなりの面積を占める。
【０００９】
回路基板１０５などの回路基板は、電気絶縁材料層１１０の上下両面上に、さらには複数の電気絶縁材料層１１０の間にも導電材料を有するのが一般的である。図１の例における回路基板１０５は、その例が不必要な詳細で不明瞭にならないように、電気絶縁材料層１１０の１つの面上にのみ導電材料層１１５を有する。図１の例では、集積回路１２０の電気端子すなわち端子１２５と１つまたは複数の端子１３０が、回路基板１０５内の開口部を挿通して、反対側の面の導電材料層１１５に電気的に接続している。
【００１０】
示されている例では、熱コンジット１４０が第１の部分１４０Ａと第２の部分１４０Ｂを含むことに留意されたい。第２の部分１４０Ｂは、実質的に回路基板１０５の面の平面に沿って延び、一方、第１の部分１４０Ａは、回路基板１０５の面の平面とは異なる平面に沿って延びている。示されている例では、第１の部分１４０Ａは、回路基板１０５の面の平面と実質的に直角の平面に沿って延びている。第１の部分１４０Ａは、回路基板１０５内に形成された開口部１３５を通る端子に熱的に結合された第１の面１４２を有し、第２の部分１４０Ｂの第２の面１４４のかなりの部分が、導電材料層１１５と熱接触している。
【００１１】
この例では、集積回路１２０は、端子１３０が同電位に結合された状態で動作するように設計されている。端子１３０と熱コンジット１４０は、回路基板１０５内の開口部１３５を挿通している。端子１３０と導電材料層１１５は、熱コンジット１４０に、はんだまたは他の適切なボンディング材の薄層１４５で結合されている。
【００１２】
図２に、本発明の教示による例の回路基板アセンブリ２００の断面をより詳細に示す。本発明の重要な特徴を強調するために、いくつかの寸法が誇張されている。電気絶縁材料層１１０と導電材料層１１５は、例えば集積回路２２０などの電気部品に機械的支持と電気的接続を与える回路基板２０５に含まれる。
【００１３】
集積回路２２０は、図２に見られる端子２２５、２３０を有する。この例では、端子２２５は、導電材料層１１５に、はんだまたは他の適切なボンディング材１４５によって電気的かつ熱的に結合される。端子２２５と導電材料層１１５の結合は、集積回路２２０を動作させるのに十分な低い電気インピーダンスをもたらすが、端子２２５における結合部の熱インピーダンスは、所望の熱インピーダンスよりもずっと高い。この熱インピーダンスを低減させることにより、より多くの熱が、集積回路２２０から端子２２５を経由して導電材料層１１５まで流れて、回路基板アセンブリ２００から伝導、対流または輻射によって取り除かれる。
【００１４】
電気部品の端子とプリント回路板上の導電材料との間の熱インピーダンスをはんだ結合で低減させる効果的な方法が、本発明の教示による熱コンジットを使用することである。図２は、端子２３０と導電材料層１１５との間にはんだ１４５によって結合された熱コンジット１４０を示す。熱コンジット１４０により、はんだ１４５は、端子２２５における結合部よりもずっと広い面積にわたって端子２３０を導電材料層１１５に結合することができる。様々な例で熱コンジット１４０は、適切なはんだ接合を可能にするために適切な面処理またはめっきを施した、例えば銅、アルミニウム、黄銅、または鋼のうちの少なくとも１つまたは複数などの高い熱伝導性を有する材料とすることができる。様々な例でボンディング材は、導電性エポキシとすることもできる。
【００１５】
図３は、本発明の教示による、熱インピーダンスをさらに低減させるために熱コンジット３４０を使用している例の回路基板アセンブリ３００の断面を示す。図示の例に示されているように、熱コンジット３４０は、電気絶縁材料層１１０の面から上方に延び出している、すなわち集積回路２２０の端子２３０の上方に高さＨｖ分だけ突出する。熱コンジット３４０の延出部３６０は、それが導電材料層１１５にはんだ１４５で結合されていなくても、集積回路２２０の端子２３０からの熱インピーダンスを低減させる。熱コンジット３４０の材料は高い熱伝導性を有するので、端子２３０からはんだ１４５を経由して熱コンジット３４０まで通過したいくらかの熱が、延出部３６０の材料にまで伝導され、そこでその熱は、延出部３６０の面から対流または輻射によって取り除かれる。
【００１６】
一例では、構成要素の回路基板への自動組立てに適用できるように、熱コンジットは実際には、それがはんだ付けされる前に回路基板上の適所にそれを保持するための機構をその構造内に含んでいる。図４は、取付タブ４５０を有する単一の熱伝導材料片４４０で形成された熱コンジット４００の一例を示す。一例では、構成要素を回路基板に取り付るとき、はんだ付け作業の前や間に熱コンジット４００を適所に保持させるために、取付タブ４５０を開口部を通過させる。
【００１７】
さらに詳細に説明すると、図５は、１例の回路基板アセンブリ５００の詳細であり、電気絶縁材料層１１０と導電材料層１１５を含む回路基板内の開口部４６０を通過するタブ構造すなわち取付タブ４５０を備えるように形成された熱伝導材料４４０の一部を示す。示されている例では、１つまたは複数の取付タブ４５０により、はんだ付けの前や間に、熱コンジット４００を、他の構成要素と共に回路基板上の適所に適切な姿勢で取り付けるかまたは保持することができる。
【００１８】
したがって、前述のように、方法は、高い電気・熱伝導性を有する熱コンジットを準備すること、および、その熱コンジットを集積回路の１つまたは複数の電気端子に熱的に結合させることを含む。この方法は、熱コンジットを導電材料層などの第１の材料に結合させて、集積回路と回路基板の銅クラッドまたは導電材料との間の熱インピーダンスを低下させることをさらに含む。
【００１９】
前述の詳細説明では、本発明の方法と装置について、その特定の例示的な実施形態を参照しながら説明してきた。しかし、本発明のより広い趣旨と範囲から逸脱することなく、本発明に様々な変更や修正が加えられうることが明らかになるであろう。したがって、本明細書と図は、限定的なものではなく例示的なものと見なされるべきである。
【００２０】
特許請求の範囲において使用される用語は、本発明を、本明細書および特許請求の範囲で開示される特定の実施形態に限定するように解釈されるべきでない。むしろ、本発明の範囲は、クレーム解釈の確立した原則に従って解釈されるべき特許請求の範囲によって完全に決定されるべきである。
【図面の簡単な説明】
【００２１】
【図１】本発明の教示による例の熱コンジットを含む例の回路基板アセンブリの簡略斜視図である。
【図２】本発明の教示による例の熱コンジットを含む例の回路基板アセンブリの簡略断面図である。
【図３】本発明の教示による例の熱コンジットを含む回路基板アセンブリの他の例の簡略断面図である。
【図４】本発明の教示による例の熱コンジットの簡略斜視図である。
【図５】図４の例の熱コンジットを含む１例の回路基板アセンブリの簡略断面図である。
【符号の説明】
【００２２】
１００  プリント回路板アセンブリ、１０５  プリント回路板、回路基板、１１０  電気絶縁材料層、１１５  導電材料層、１２０  集積回路、１２５  電気端子、１３０  端子、１３５  開口部、１４０  熱コンジット、１４０Ａ  第１の部分、１４０Ｂ  第２の部分、１４２  第１の面、１４４  第２の面、１４５  ボンディング材、２００  回路基板アセンブリ、２０５  回路基板、２２０  集積回路、２２５  端子、２３０  端子、３００  回路基板アセンブリ、３４０  熱コンジット、３６０  延出部、４００  熱コンジット、４４０  熱伝導材料片、４５０  取付タブ、４６０  開口部、５００  回路基板アセンブリ
【図１】
2008060551.tif 000003
【図２】
2008060551.tif 000004
【図３】
2008060551.tif 000005
【図４】
2008060551.tif 000006
【図５】
2008060551.tif 000007
【外国語明細書】
2008060551.tif 000008
2008060551.tif 000009
2008060551.tif 000010
2008060551.tif 000011
2008060551.tif 000012
2008060551.tif 000013
2008060551.tif 000014
2008060551.tif 000015
2008060551.tif 000016
2008060551.tif 000017
2008060551.tif 000018
2008060551.tif 000019
2008060551.tif 000020
2008060551.tif 000021
2008060551.tif 000022
2008060551.tif 000023
2008060551.tif 000024
2008060551.tif 000025
2008060551.tif 000026
2008060551.tif 000027
2008060551.tif 000028